【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
a) 被測定物からの光を所定の結像面に結像する結像光学系と、
b) 入力端が前記結像面上の相異なる位置に配置され、出力端が一次元的に配置された複数の光導波管と、
c) 少なくとも前記出力端側においてテレセントリックな光学系であって、前記複数の光導波管の出力端から出射した光を平行光に変換するコリメート光学系と、
d) 前記コリメート光学系を通過した光により形成される一次元領域の像を、該一次元領域に垂直な方向に波長分散させる波長分散素子と、
e) 前記波長分散素子を通過した光を、二次元的に配列された複数の受光素子により検出する光検出器と、
を備えることを特徴とする分光測定装置。
【請求項２】
前記結像光学系が、少なくとも前記結像面側においてテレセントリックな光学系であることを特徴とする請求項１に記載の分光測定装置。
【請求項３】
前記複数の光導波管の入力端が、前記結像面上の縦横比が１６：９である矩形状の領域内に配置されていることを特徴とする請求項１又は２に記載の分光測定装置。
【手続補正２】
【補正対象書類名】明細書
【補正対象項目名】全文
【補正方法】変更
【補正の内容】
【発明の詳細な説明】
【発明の名称】分光測定装置
【技術分野】
【０００１】
本発明は、被測定物上の二次元領域の分光強度分布を測定する分光測定装置に関する。
【背景技術】
【０００２】
被測定物上の二次元領域の分光強度分布を測定するための二次元分光測定装置が従来より提案されている。特許文献１には、ディスプレイ装置の画面に使用されるカラーフィルターの分光特性を評価する二次元分光測定装置が記載されている。この分光測定装置の要部構成を図１に示す。
【０００３】
この装置では、Ｘ軸方向に移動可能な移動台３１上に載置されたカラーフィルター（被測定物３２）の面に平行であるＹ軸方向に配設された棒状の光源３３から、被測定物３２面上の一次元測定領域Ａ（Ｙ軸方向に伸びる線状領域）に光を照射する。被測定物３２の表面で反射した光は、レンズ３４により、一次元測定領域Ａに平行に配設された、それよりも長さが短いスリット３５上に集光される。スリット３５を通過した、一次元測定領域Ａの像を構成する光は、スリット３５の上方に配置された凹面回折格子３６の格子面に投影され、該凹面回折格子３６によりその一次元領域像に直交する方向に波長分散されて二次元分光像を構成する。二次元分光像を構成する光は、さらに凹面反射鏡３７で反射され、光検出器３８の受光面上に結像される。光検出器３８の受光面には受光素子が二次元アレイ状に配置されており、その一方の方向（α軸方向）に並ぶ受光素子からは被測定物３２のＹ軸方向の一次元測定領域Ａ上の位置情報が、またα軸と直交する方向（β軸方向）に並ぶ受光素子からはその一次元測定領域Ａ内の各微小領域のスペクトル（分光強度）情報が得られる。
【０００４】
この装置では、移動台３１と光源３３等から成る光学ユニットを、Ｘ軸方向に順次、所定のステップで相対移動させながら、繰り返し一次元測定領域Ａの分光像を得ることにより、被測定物３２の二次元領域の分光強度分布を得る。
【０００５】
また、特許文献２には、測定点数分用意された高速型分光器によって、複数の測定点における透過光又は反射光の波長分布を測定する二次元分光測定装置が記載されている。なお、ここで言う分光器とは、入射光を波長分散する機能と波長分散後の光を波長毎に検出する機能を備える光学ユニットであり、高速型分光器とは、波長分散後の各波長の光をラインセンサ構成の光検出器によって一挙に検出する分光器である。
【０００６】
特許文献１の分光測定装置では、移動台３１と光学ユニットとを順次相対移動させるための移動機構が必要である。この相対移動の距離が長ければ、移動機構のサイズもそれに応じて大きくなり、分光測定装置が大型化してしまう。また、分光強度測定自体に要する時間に加えて、移動のための時間が必要であるため、測定の開始から終了までに要する時間が長くなってしまう。さらに、移動台３１と光学ユニットとを相対移動させる際の位置合わせの精度が悪いと、測定の再現性が悪くなり、測定結果の信頼性が低下してしまう。
【０００７】
特許文献２の分光測定装置では、測定点毎に分光器を用いるため、装置が高価になると共に、個々の分光器が有する波長分散素子や光検出器の特性の違いに起因して測定点毎に測定精度のばらつきが生じてしまうという問題がある。
【０００８】
これらの問題を解消する装置として、本発明者は、特許文献３において、結像光学系と波長分散素子の間に複数の光導波管を配列した分光測定装置を提案している。この装置では、光導波管の入力端を結像面上の相異なる位置に配置すると共に、出力端を一次元的に配置し、光導波管の出力端から出射された光を波長分散して検出する。
【０００９】
この装置では、複数の光導波管の、結像面上に配置された各入力端の位置を、被測定物上の各測定点に対応させる。複数の光導波管の各入力端から入力された各測定点からの光は、それら光導波管の一次元的に配置された出力端から出射される。こうして、被測定物の一次元領域又は二次元領域の各測定点からの光は全て一次元的に配置された出射光となり、波長分散素子により出力端の配列に垂直な方向に波長分散されて二次元分光像を形成する。このような構成を採ることにより、光検出器において、一方の方向に被測定物の一次元領域又は二次元領域を一次元化した位置情報を有し、該位置情報に関する方向に対して垂直な方向にスペクトル情報を有する被測定物の一次元／二次元領域の分光強度分布を一度の測定で得ることができる。
この装置は、被測定物と光学ユニットとを相対移動させるための移動機構を含まず構成されるため、移動機構を有することにより生じる上述した問題を解決することができる。また、波長分散した光を単一の光検出器により検出するため、装置を安価に製造することができると共に、測定点毎の測定精度のばらつきを生じにくくすることができる。
【先行技術文献】
【特許文献】
【００１０】
【特許文献１】特開平6-34525号公報
【特許文献２】特開2010-044001号公報
【特許文献３】国際公開第2013/114524号パンフレット
【発明の概要】
【発明が解決しようとする課題】
【００１１】
特許文献３に記載の装置において分光測定の分解能を向上させるためには、出力側端面と波長分散素子の間にコリメートレンズを配置し、ファイバボックスの出力側端面から取り出した光を平行光にしてから波長分散素子に導入することが有効である。しかし、コリメートレンズを配置すると、該コリメートレンズの光軸から遠い位置を通過する光の取り込み効率が悪くなり、検出光の強度が小さくなってしまうという問題があった。
【００１２】
本発明が解決しようとする課題は、コリメート光学系を用いて被測定物からの光を取り込む構成を備えた分光測定装置において、該コリメート光学系の光軸からの距離に関係なく、同じ効率で被測定物からの光を波長分散素子に導入して検出強度の低下を防止することである。
【課題を解決するための手段】
【００１３】
上記課題を解決するために成された本発明に係る分光測定装置は、
a) 被測定物からの光を所定の結像面に結像する結像光学系と、
b) 入力端が前記結像面上の相異なる位置に配置され、出力端が一次元的に配置された複数の光導波管と、
c) 少なくとも前記出力端側においてテレセントリックな光学系であって、前記複数の光導波管の出力端から出射した光を平行光に変換するコリメート光学系と、
d) 前記コリメート光学系を通過又は反射した光により形成される一次元領域の像を、該一次元領域に垂直な方向に波長分散させる波長分散素子と、
e) 前記波長分散素子を通過した光を、二次元的に配列された複数の受光素子により検出する光検出器と、
を備えることを特徴とする。
【００１４】
本発明において「一次元的」とは直線であることが望ましいが、曲線の部分を含んでいても良い。複数の光導波管の出力端を曲線部分を含むような線状に配置する場合には、例えば、上記波長分散素子を複数の波長分散素子で構成し、それらを出力端の配列に対応する位置に配置して、光導波管から出射する光を波長分散する。
また、複数の光導波管の入力端は、結像面上に一次元的に配置されていてもよく、あるいは二次元的に配置されていてもよい。
【００１５】
本発明に係る分光測定装置では、一次元的に配列された複数の光導波管から出射した光を、光導波管の出力端側においてテレセントリックな光学系、即ち、物体側テレセントリックなコリメート光学系により平行光に変換して、波長分散素子に導入する。物体側テレセントリックなコリメート光学系を用いると、物体側（光導波管の出力端側）において、入射瞳が無限遠に位置する光学系が形成されるため、レンズの光軸からの距離に関係なく、同じ効率で被測定物からの光を取り込むことができる。
【００１６】
本発明に係る分光測定装置では、複数の光導波管の入力端が配置された結像面上に被測定物の像を結像させる。このとき、被測定物から光導波管の入力端に向かう光のうち、該入力端に正面から入射する光は高効率で取り込まれるが、光導波管の入力端面に斜方から入射する光の取り込み効率は悪くなりやすい。こうした場合にも、やはり検出光の強度が低下してしまう。
【００１７】
そこで、本発明に係る分光測定装置において、前記結像光学系が、少なくとも前記結像面側においてテレセントリックな光学系であることが望ましい。このような光学系は、例えば、像側テレセントリックレンズや両側テレセントリックレンズを用いて被測定物の像を結像面上に結像させることにより形成することができる。これにより、光導波管の入力端の正面から光を入射させ、入射光の取り込み効率の低下を防ぐことができる。なお、以下の説明では、少なくとも像側においてテレセントリックであるレンズを「像側テレセントリックレンズ」と呼ぶ。
【発明の効果】
【００１８】
本発明に係る分光測定装置では、一次元的に配置された複数の光導波管から出射した光を、少なくとも光導波管の出力側においてテレセントリックなコリメート光学系により平行光にして、波長分散素子に導入する。これにより、コリメート光学系の光軸からの距離に関係なく、同じ効率で被測定物からの光を波長分散素子に導入して検出強度の低下を防止することができる。
【図面の簡単な説明】
【００１９】
【図１】従来の分光測定装置の概略構成図。
【図２】本発明に係る分光測定装置の一実施例である色彩計の概略構成図。
【図３】本実施例の色彩計で使用するファイバボックスの入力側端面の平面図(a)、出力側端面の平面図(b)、及び波長分散された後の二次元分構造の模式図(c)。
【発明を実施するための形態】
【００２０】
本発明に係る分光測定装置の一実施例である色彩計の構成について、図２を参照して説明する。図２の色彩計は、カラーフィルターが装着されたディスプレイ装置の画面（以下、「ディスプレイ」と呼ぶ。）の色ムラや輝度ムラを検査するためのものである。この色ムラや輝度ムラの検査方法には刺激値直読方法と分光測色方法の２種類の方法があるが、本実施例の色彩計は分光測色方法を用いたものである。なお、ディスプレイの縦横比は、１６（横）：９（縦）である。
【００２１】
図２の色彩計は大別して、画像抽出系、分光検出系、制御／データ処理系の３つで構成される。画像抽出系は、画像取り込みレンズ１、ファイバボックス２、ポルカドットビームスプリッタ３、及びファインダ用カメラ４を含んで構成される。分光検出系は、入力側レンズ５、位相型体積ホログラフィックグレーティング（ＶＰＨＧ）６、出力側レンズ７、及び光検出器８を含んで構成される。制御／データ処理系は、信号処理部９、カメラコントローラ１０、パーソナルコンピュータ（ＰＣ）１１、及び表示部１２を含んで構成される。
【００２２】
以下、本実施例の色彩計の特徴的な構成である画像抽出系及び分光検出系について詳しく説明する。
【００２３】
［画像抽出系］
画像取り込みレンズ１は、縦横比１６：９であるディスプレイＤの二次元領域像を、ファイバボックス２の入力側端面２０に結像するためのものであり、結像面側においてテレセントリックなレンズ（像側テレセントリックレンズ）である。画像取り込みレンズ１とファイバボックス２は、画像取り込みレンズ１の結像面がファイバボックス２の入力側端面２０に一致するように配置されている。
なお、以下の説明では、図２の紙面がxy平面に平行であるとし、紙面に垂直な方向をz軸とする。また、ファイバボックス２の入力側端面２０及び出力側端面２１はyz平面に平行であるとする。
【００２４】
ファイバボックス２は、１４４本の光ファイバ２２を内蔵している。これらの光ファイバ２２の入力端２３（図３(a)中の２３１、…、２３１４４）は、図３(a)に示すようにファイバボックス２の入力側端面２０上に縦９×横１６の格子状に配置されている。この配置はディスプレイＤの二次元領域の形状に対応しており、入力端２３の各々から入力されたディスプレイＤの二次元領域像が後段の分光検出系により分光されて検出される。以下、入力端２３１、…、２３１４４に対応するディスプレイＤ上の測定点をＰ１、…、Ｐ１４４と記載する。また、これらをまとめて測定点Ｐと記載する。
なお、入力端２３の配置は、図３(a)のように規則的である必要はなく、例えば中央付近で密に配置され、周辺部分で疎に配置されるような不規則な配置であっても良い。
【００２５】
本実施例では、画像取り込みレンズ１を用いることによって、ディスプレイＤからの光を光ファイバ２２の入力端２３１、…、２３１４４の正面から入射させている。これによって、ディスプレイＤから光ファイバ２２への光の取り込み効率が低下することを防ぐことができる。この効果は、画像取り込みレンズ１として像側（結像面側）でテレセントリックなレンズを用いることにより得られるため、物体側と像側の両方でテレセントリックな両側テレセントリックレンズを用いても同様の効果が得られる。
【００２６】
ファイバボックス２の出力側端面２１では、図３(b)に示すように、光ファイバ２２の１４４個の出力端２４（図３(b)中の２４１、…、２４１４４）がz軸方向に一次元的に並べられている。即ち、入力側端面２０上の入力端２３１、…、２３１４４から入力されたディスプレイＤの二次元領域像は、ファイバボックス２内で一次元化され、出力側端面２１上の出力端２４１、…、２４１４４から、z軸に平行な方向に配列された一次元領域像として出射される。この一次元領域像はz軸方向に測定点Ｐ１から測定点Ｐ１４４の位置情報を有するものとなる。
【００２７】
なお、本発明に必須の構成ではないが、本実施例では、図２に示すように、画像取り込みレンズ１を通過する光をポルカドットビームスプリッタ３によって二方向に分離し、ファイバボックス２側と異なるもう一方の結像面にファインダ用カメラ４の撮影面を設けることにより、ディスプレイＤの二次元領域像をファインダ用カメラ４で撮影するようにしている。これにより、後述する制御／データ処理系を用いて、ディスプレイＤの二次元領域像に対する入力端２３の位置（すなわちディスプレイＤ上の測定点Ｐの位置）を確認することができる。
【００２８】
［分光検出系］
入力側レンズ５（本発明におけるコリメート光学系に相当）は、ファイバボックス２の出力側端面２１の各出力端２４から出射する光（一次元領域像）をx軸方向に平行にしてＶＰＨＧ６に入射するためのものであり、物体側においてテレセントリックなレンズ（物体側テレセントリックレンズ）である。
【００２９】
光ファイバ２２の出力端２４１、…、２４１４４からは入力側レンズ５の光軸に平行な方向に進む光が出射される。そのため、入力側レンズ５に一般的なコリメートレンズを用いると、光軸から遠い位置を通過する光の取り込み効率が悪くなってしまうが、本実施例では物体側テレセントリックなレンズを使用することによって、その光軸から遠い位置を通過する光のＶＰＨＧ６への導入効率を、光軸近傍を通過する光の導入効率と同程度に高めている。この効果は、入力側レンズ５として物体側（光ファイバ２２の出力端２４１、…、２４１４４側）でテレセントリックなレンズを用いることにより得られるため、物体側と像側の両方でテレセントリックな両側テレセントリックレンズを用いても同様の効果が得られる。
【００３０】
一次元領域像を構成する平行光は、ＶＰＨＧ６に所定の角度で以て入射される。本実施例で用いるＶＰＨＧ６は一次元領域像をその延伸方向（z軸方向）と直交する方向（xy平面に平行な一方向。以下「λ軸方向」とする）に波長分散するように配設されている。すなわちＶＰＨＧ６に入射された一次元領域像を構成する光は、ＶＰＨＧ６を透過する途中で位置情報を保ったまま波長分散され、z軸方向に位置情報を有し、λ軸方向にスペクトル情報を有する二次元分光像として出射される（図３(c)）。この二次元分光像を構成する光は出力側レンズ７によって光検出器８の検出面上で結像し、検出面上に二次元的に配置された複数の受光素子によって検出される。
【００３１】
以下、制御／データ処理系についても簡単に説明する。
【００３２】
［制御／データ処理系］
光検出器８の各受光素子から出力された信号は、信号処理部９においてデジタル化や増幅等の所定の信号処理を経た後、ＰＣ１１に送られる。ＰＣ１１には専用の制御／データ処理プログラムがインストールされており、光検出器８からの出力に基づいて二次元分光強度分布を作成し、この二次元分光強度分布から三刺激値、色度座標、色差等の各種色彩指標値を、ＪＩＳに規定された算出方法に基づいて算出する。また、その結果を表示部１２の画面上に示す。
【００３３】
また、ＰＣ１１は、カメラコントローラ１０に所定の制御信号を送ることにより、カメラコントローラ１０を介してファインダ用カメラ４に撮影を行わせ、その撮影画像を取得することができる。ＰＣ１１の表示部１２の画面上には、ファインダ用カメラ４により撮影されたディスプレイＤの二次元領域像の画像データと、記憶部等に予め記憶している入力側端面２０における光ファイバ２２の入力端２３の位置関係が表示される。これにより、ユーザがディスプレイＤ上の測定点Ｐの位置を確認できるようになっている。また、ユーザが測定点Ｐの一つをポインティングデバイス等により指し示すと、その測定点におけるスペクトルを表示部１２の画面上に表示するようになっている。
【００３４】
以上、本発明に係る分光測定装置の一実施例を示したが、本発明の趣旨の範囲内において適宜に変更可能である。例えば、上記実施例では、縦横比１６：９のディスプレイの二次元領域の分光強度分布を測定するために、光ファイバの入力端を縦９×横１６の格子状に配列する例を挙げたが、光ファイバの本数や光ファイバの入力端の配置は被測定物の二次元領域の形状等を考慮して適宜に変更することができる。
また、上記実施例では、波長分散素子として透過型の回折格子を用いたが、反射型のものを用いても良い。
【符号の説明】
【００３５】
１…画像取り込みレンズ
２…ファイバボックス
３…ポルカドットビームスプリッタ
４…ファインダ用カメラ
５…入力側レンズ
６…ＶＰＨＧ
７…出力側レンズ
８…光検出器
９…信号処理部
１０…カメラコントローラ
１１…ＰＣ
１２…表示部
２０…入力側端面
２１…出力側端面
２２…光ファイバ
２３…入力端
２４…出力端
３１…移動台
３２…被測定物
３３…光源
３４…レンズ
３５…スリット
３６…凹面回折格子
３７…凹面反射鏡
３８…光検出器